(57)【要約】【課題】  バーナーの点火時に確実に着火を検知することができ、操作性に優れた携帯用ドライヤを提供すること。【解決手段】  本発明の携帯用ドライヤ１０の発明は、ガスボンベ１３から供給されたガスを燃焼させるバーナーと、バーナーの点火を行う点火機構２０と、バーナーの着火を検知する着火検知部と、ガスの燃焼によりバーナー周辺で熱せられた空気を温風として吹き出し口１４から吹き出させるファン１５ｂと、ファン１５ｂを駆動するモータ１５ａの回転数を制御する制御部５０と、を備え、着火検知部は着火検知条件を多段階に切り替えてバーナーの着火を検知する。【選択図】  図８
2008086684.tif 000002
【特許請求の範囲】
【請求項１】
ガスボンベから供給されたガスを燃焼させるバーナーと、前記バーナーの点火を行う点火機構と、前記バーナーの着火を検知する着火検知部と、前記ガスの燃焼により前記バーナー周辺で熱せられた空気を温風として吹き出し口から吹き出させるファンと、前記ファンを駆動するモータの回転数を制御する制御部と、を備えた携帯用ドライヤであって、前記着火検知部は着火検知条件を多段階に切り替えてバーナーの着火を検知することを特徴とする携帯用ドライヤ。
【請求項２】
前記着火検知部は着火検知条件を時間ごとに複数段階に切り替えることを特徴とする請求項１に記載の携帯用ドライヤ。
【請求項３】
前記着火検知条件は、一定時間当たりの温度変化が基準値より大きいときに着火と判定するものであることを特徴とする請求項２に記載の携帯用ドライヤ。
【請求項４】
前記着火検知条件は、
着火検知開始から第１時間ｔ１に至るまでの単位時間あたりの温度上昇率が第１基準値Ｔ１℃／ｓｅｃ以上であれば着火と判定し、前記第１時間ｔ１から第２時間ｔ２に至るまでの単位時間あたりの温度上昇率が第２基準値Ｔ２℃／ｓｅｃ以上であれば着火と判定し、
前記第２時間ｔ２から第３時間ｔ３に至るまでの単位時間あたりの温度上昇率が第３基準値Ｔ３℃／ｓｅｃ以上であれば着火と判定し、さらに、前記第１〜第３基準値Ｔ１〜Ｔ３はそれぞれＴ１＞Ｔ２＞Ｔ３であることを特徴とする請求項３に記載の携帯用ドライヤ。
【請求項５】
前記点火機構は前記モータの低速回転中に前記バーナーの点火を行い、前記制御部は前記着火検知部が前記バーナーの着火を検知すると前記モータの回転数を所定期間内に所定の高速回転数にまで上昇させることを特徴とする請求項１〜４の何れかに記載の携帯用ドライヤ。
【請求項６】
前記制御部は前記モータの回転数を低速回転数から直線的に上昇させることを特徴とする請求項１〜５の何れかに記載の携帯用ドライヤ。
【発明の詳細な説明】
【技術分野】
【０００１】
本発明はコードレスの携帯用ドライヤに関し、特に熱源としてガスを使用した操作性に優れたガス式の携帯用ドライヤに関する。
【背景技術】
【０００２】
ヘアードライヤの熱源として、電気ヒータに代えて、ボンベに充填したブタンガス等の液化石油ガスの燃焼熱を利用したヘアードライヤが開発され、既に市販されている。ガスの燃焼熱を利用したヘアードライヤは、電気ヒータを用いたものに比べて、外部電源への接続が不要となるためにコードレスとすることができるので、電源が入手できないところでも使用できる等、使用場所が制限されないことから、広く使用されるようになってきている。
【０００３】
例えば、図９は下記特許文献１に開示された携帯用ヘアードライヤの構成を示す断面図である。このヘアードライヤ１００は、ピストル型のドライヤ本体、前側に吐風口１０３を有し後側に吸気口１０４を形成した縦方向断面形状が円筒形又は楕円形円筒状ケース１０２、前記筒形ケーシング内の吐風部１０３側に近い位置に配設したバーナー１０５、前記バーナーの近くに固定した生ガスに点火する点火器（スパークプラグ）１０６、バーナーでの燃焼に必要な空気を取り込むエジェクター１０７、前記筒形ケース内の吸気部１０４側に近い位置に配設され、ファン１０９を回転駆動するモータ１０８を備えている。
【０００４】
さらに、前記筒状ケース１０２の後方寄りの下部に該ケースと一体形成した膨出部１１０が設けられており、その内部には空所１１１を形成し、この空所内にはマイコンを搭載したコントロール基板が取り付けられており、前記バーナー１０５の燃焼状態を見てガス流路の開閉や電池電圧を検圧してモータ１０８の回転動作及び回転数を制御している。
【０００５】
前記筒状ケース１０２の下部であって該ケースの外壁面形状に沿って形成した空間収納部１１３には、電池１１４を弧状に収納し、前記バーナー１０５の近傍に設けた着火検知装置１１５は、サーミスタを用いて着火時のバーナーでの温度上昇を検知し、生ガスに着火したかどうかを検知している。
【０００６】
すなわち、前記コントロール基板に組み込んだ回路によって、温度上昇判定のための基準値を用意し、一定時間内に基準値以上の温度上昇があれば着火したものと判断し、温度上昇が基準値以下であればミス着火であると判断する。
【０００７】
ここで、上記基準値を大小２つ用意し、直前にバーナーが燃焼されておらず、バーナー近傍が冷めた状態のときには大きい方の基準値を採用し、直前までバーナーが燃焼されており、バーナー消火後、短時間（例えば３秒）のうちに再度着火したときのように前回の燃焼熱が残存した状態のときには小さい方の基準値を採用することにより、状況に応じて適切な判断がなされるようにしてある。
【特許文献１】特開２００５−８７４４５号公報（段落［００１０］〜［００２３］、図１）
【発明の開示】
【発明が解決しようとする課題】
【０００８】
しかしながら、上記特許文献１に開示されている携帯用ヘアードライヤにおいては、ドライヤの稼動タイミングによって２つの基準値を切り替えて採用する必要があり、そのための判別手段が別途必要になる。
【０００９】
また、この基準値の設定を行う際にも、基準値自体は一定値であるため、周囲環境に十分に適応させることが難しい。すなわち、感度を下げすぎると低室温内でドライヤを使用する場合には着火検知ができず、また感度を上げすぎるとバーナーを再点火する場合に着火を誤検知してしまう場合があった。
【００１０】
本発明者らは上記課題に鑑み、着火検知の際に稼動タイミングを検知することなく、かつ周囲の環境の差異に左右されることなく確実に着火を検知できる方法を種々検討した結果、基準値を着火開始から経時的に変化させることで、バーナーの余熱の有無に関わらず、且つ周囲環境に左右されずに着火検知が行えるようになることを見出し、本発明に至ったものである。
【００１１】
すなわち、本発明はバーナーの点火時に確実に着火を検知することができる操作性に優れた携帯用ドライヤを提供することを目的とするものである。
【課題を解決するための手段】
【００１２】
上記目的を達成するため、請求項１に係る携帯用ドライヤの発明は、ガスボンベから供給されたガスを燃焼させるバーナーと、前記バーナーの点火を行う点火機構と、前記バーナーの着火を検知する着火検知部と、前記ガスの燃焼により前記バーナー周辺で熱せられた空気を温風として吹き出し口から吹き出させるファンと、前記ファンを駆動するモータの回転数を制御する制御部と、を備えた携帯用ドライヤであって、前記着火検知部は着火検知条件を多段階に切り替えてバーナーの着火を検知することを特徴とする。
【００１３】
また、請求項２に係る発明は、請求項１に記載の携帯用ドライヤにおいて、前記着火検知部は着火検知条件を時間ごとに複数段階に切り替えることを特徴とする。
【００１４】
また、請求項３に係る発明は、請求項２に記載の携帯用ドライヤにおいて、前記着火検知条件は、一定時間当たりの温度変化が基準値より大きいときに着火と判定するものであることを特徴とする。
【００１５】
また、請求項４に係る発明は、請求項３に記載の携帯用ドライヤにおいて、前記着火検知条件は、着火検知開始から第１時間ｔ１に至るまでの単位時間あたりの温度上昇率が第１基準値Ｔ１℃／ｓｅｃ以上であれば着火と判定し、前記第１時間ｔ１から第２時間ｔ２に至るまでの単位時間あたりの温度上昇率が第２基準値Ｔ２℃／ｓｅｃ以上であれば着火と判定し、前記第２時間ｔ２から第３時間ｔ３に至るまでの単位時間あたりの温度上昇率が第３基準値Ｔ３℃／ｓｅｃ以上であれば着火と判定し、さらに、前記第１〜第３基準値Ｔ１〜Ｔ３はそれぞれＴ１＞Ｔ２＞Ｔ３であることを特徴とする。
【００１６】
また、請求項５に係る発明は、請求項１〜４の何れかに記載の携帯用ドライヤにおいて、前記点火機構は前記モータの低速回転中に前記バーナーの点火を行い、前記制御部は前記着火検知部がバーナーの着火を検知すると前記モータの回転数を所定期間内に所定の高速回転数にまで上昇させることを特徴とする。
【００１７】
また、請求項６に係る発明は、請求項１〜５の何れかに記載の携帯用ドライヤにおいて、前記制御部は前記モータの回転数を低速回転数から直線的に上昇させることを特徴とする。
【発明の効果】
【００１８】
本発明は上記のような構成を備えることにより以下に述べるような優れた効果を奏する。すなわち、請求項１に係る発明によれば、バーナーの点火の際には着火検知条件を多段階に切り替えて着火を検知するため、着火の誤検知を防止するとともに、着火の検知が確実に行なわれるようにすることができ、使い勝手に優れた携帯用ドライヤを提供できる。
【００１９】
また、請求項２に係る発明によれば、バーナーの点火の際には着火検知条件を時間ごとに複数段階に切り替えて着火を検知するため、着火センサの周囲温度が時間経過に伴って変化していくことに応じて着火検知条件を切り替えることができ、着火の誤検知を防止するとともに、着火の検知が確実に行なわれるようにすることができ、使い勝手に優れた携帯用ドライヤを提供できる。
【００２０】
また、請求項３に係る発明によれば、一定時間当たりの温度変化が基準値より大きいときに着火と判定するため、バーナーが燃焼するときの熱による温度変化を検知して着火の判定を行うので、着火の誤検知を防止するとともに、着火の検知が確実に行なわれるようにすることができ、使い勝手に優れた携帯用ドライヤを提供できる。
【００２１】
また、請求項４に係る発明によれば、例えば第１〜第３時間をそれぞれｔ１＝２秒、Ｔ２＝３秒、ｔ３＝１０秒とし、第１〜第３基準値をそれぞれＴ１＝３℃／ｓｅｃ、Ｔ２＝２℃／ｓｅｃ、Ｔ３＝１℃／ｓｅｃとすると、着火検知開始後０〜２秒の２秒間に単位時間（１秒）当たりの温度上昇が３℃以上であれば着火と判定するため、着火検知開始直後、点火なし・余熱ありの場合であっても誤検知を防止することが可能となり、ここで検知できなかった場合には、着火判定の感度を上げて着火検知開始後２〜３秒の１秒間に単位時間当たりの温度上昇が２℃以上であれば着火と判定する。さらに、低室温内で使用する場合、上記着火検知条件で着火検知ができないことがあるので、さらに着火判定の感度を上げて着火検知開始後３〜１０秒の７秒間に単位時間当たりの温度上昇が１℃以上であれば着火と判定するため、着火を確実に検知することができる。なお、第３時間（１０秒）を越えても着火が検知されない場合には着火ミスとして異常停止させる。
【００２２】
また、請求項５に係る発明によれば、バーナーの点火の際にはモータにより駆動されるファンの回転数を低速にして着火が確実に行なわれるようにするとともに、着火が検知されると徐々に回転数を上昇させて使用時には回転数を高速にして吹き出す温風量を増やすことができ、安全で使い勝手に優れた携帯用ドライヤを提供できる。
【００２３】
また、請求項６の発明によれば、モータにより駆動されるファンの回転数を直線的に上昇させるため、バーナーが着火した後に空気の供給量に急激な変化が起こらないので、燃焼状態を安定的に維持することができる。
【発明を実施するための最良の形態】
【００２４】
以下、実施例及び図面を参照して本発明の最良の実施形態を説明する。ただし、以下に示す実施例は、本発明の技術思想を具体化するための携帯用ドライヤを例示するものであって、本発明をこの携帯用ドライヤに特定することを意図するものではなく、本発明は特許請求の範囲に含まれるその他の実施形態のものにも等しく適用し得るものである。
【実施例】
【００２５】
図１は本発明に係る携帯用ドライヤの一実施例の外観斜視図であり、図２は図１の携帯用ドライヤの正面図であり、図３は一実施例の携帯用ドライヤの内部配置の概要を説明する一部切り欠き断面図であり、また、図４は一実施例の携帯用ドライヤのボンベカバーを外した内部を示す斜視図である。
【００２６】
更に、図５は一実施例の携帯用ドライヤの制御用電気回路を示すブロック図であり、図６は一実施例の携帯用ドライヤがとりうる各動作状態間の関係を説明する図であり、図７は図６に示す点火モードにおける着火検知のサブルーチンを示すフローチャートであり、図８は一実施例の携帯用ドライヤの動作を説明するタイムチャートである。
【００２７】
本発明の実施例に係る携帯用ドライヤ１０は、図１及び図２に示すように、外ケース１０ａを横断面が楕円形、縦断面の基本形体は斜辺が緩やかな膨らみを有する略直角三角形形状とし、図３に示すように、外ケース１０ａの内部に熱風発生室１１とガスボンベ室１２とを一端で連結してＶ字型に配置収納している。
【００２８】
この携帯用ドライヤ１０の外ケース１０ａは、耐熱性の成型品やステンレス・スチールなどにより構成され、図２に示すように、横断面の輪郭が略楕円形となされている。また、外ケース１０ａの縦断面の基本形体は、図３に示すように、略直角三角形であるが、特にその斜辺１０ｈが緩やかな膨らみを有して大きく変形し、また略直角三角形の頂点付近１０ｓは丸められて滑らかな円形ドーム形状となっている。
【００２９】
外ケース１０ａはその側面にスライドつまみ２６の一部が僅かに出ているだけで、全体として滑らかな形態をしている。この外ケース１０ａは、本体１０ｂ、ボンベカバー１０ｃ、後部カバー１０ｄから構成されており、楕円形の輪郭を有する外ケース正面の上部には、熱風を吹き出す吹き出し口１４が開口している。また、斜辺１０ｈの後端近くにはストラップ取り付け手段４０が設けてあり、本体１０ｂの側面の一部は保持を容易にするための窪み又は突起１０ｇが形成されている。ちなみに、図１に示した携帯用ドライヤ１０は、ボンベカバー１０ｃに比べて吹き出し口１４が若干前面に突出しているが、このようなものも基本形体は略直角三角形であり、他にも例えばボンベカバー１０ｃが背面方向に傾斜しているものであってもよい。
【００３０】
この外ケース１０ａの内部には、図３に示すように、熱風発生室１１をガスボンベ室１２と一端で連結してＶ字型となるように配置している。すなわち、Ｖ字の一方の辺には円筒形に形成された熱風発生室１１が配置され、熱風発生室１１の先端に外部に熱風を吹き出す吹き出し口１４が位置し、その内部には、図示しないが、触媒燃焼部などガス燃焼室とバーナーなどの熱源、さらには熱源の後方には送風室１５が設けられ、風を送るファンモータ１５ａとファン１５ｂが設けられている。Ｖ字の他方の辺には円筒形のガスボンベ室１２が設けられ、ガスボンベ室１２にはプロパン、ブタンなどの燃料ガスを充填したガスボンベ１３が着脱自由に装着される（図４参照）。
【００３１】
熱風発生室１１とガスボンベ室１２との間にはガスの点火機構２０が収納され、Ｖ字の２辺が接触する位置に設けられた後部カバー１０ｄには外気を導入するため複数の孔からなる吸気口１８が設けられている。点火機構２０は、電池収納部２１に装着された電池とマイクロスイッチ２２を含む制御用電気回路と、ガスボンベ室１２に装着したガスボンベ１３からの燃料ガス供給量を制御するバルブ２３と、火花放電用の電子的高電圧発生回路２４及び点火プラグ２５からなる点火器５４とで構成されており、電子的高電圧発生回路２４に高電圧を発生させるための操作スイッチ（スライドつまみ２６）が外ケースの側壁面に設けてある。
【００３２】
電子的高電圧発生回路２４の出力は一方の放電電極を形成する点火プラグ２５に接続されている。他方の放電電極は、熱風発生室１１の外周部に設けられており、電子的高電圧発生回路２４と電線により接続されている。なお、図３においては、ガスボンベ１３、バルブ２３及び熱風発生室１１のノズル相互間の配管や電線の接続は図示を省略してある。
【００３３】
熱風発生室１１の内部には、ガスボンベ１３からバルブ２３を介したガス供給路の中継パイプの出口に位置するノズルが設けられており、ノズルの後方から吹き出し口１４に向けて空気を供給する送風ファン１５ｂによって送風される空気と燃料ガスを混合して混合気体を作る混合部と、混合気体を所定の温度まで加熱する予熱部と、予熱部で混合気体に点火する着火部と、予熱部によって加熱された混合気体を燃焼させるバーナーや触媒燃焼部などのガス燃焼室を構成する熱源及び放熱フィンなどが設けられている。なお、触媒燃焼部は担体として多孔質のコーディエライトやアルミナなどのセラミックスや金属板が、触媒としては白金やパラジウムなどが用いられる。
【００３４】
バルブ２３は、ガスボンベ１３のガスが供給される熱風発生室１１のノズルにつながる中継パイプの途中に位置している。バルブ２３は、その弁の開閉を制御してガスボンベ１３からの燃料ガス供給量を制御する。バルブ２３の周辺部に設けられたクランクレバー２７の掛止片には弁開閉機構を構成するバルブシャフト２３ａが係止されている。このバルブシャフト２３ａが移動することにより、ばねの弾性力に抗してバルブシャフト２３ａはバルブから引き出される。このときバルブ２３の後端部に形成された制御弁（図示せず）の絞り口の開口面積が増大しガスの供給量が増加する。また、中継パイプの先端に設けたノズルは、ガスボンベ１３内のガスが気化されたガスを図示しない混合部に噴射させる。
【００３５】
予熱部は、触媒燃焼を促進するために、混合気体を所定の温度にまで加熱する部分であり、触媒燃焼部の外周を覆うとともに一端が混合部まで延設された余熱フィンと熱源の出口を覆う通気性のある網目状ネットで構成されている。混合され予熱されたガスは、電子的高電圧発生回路２４から印加された高電圧に基づく火花放電により着火、燃焼される。
【００３６】
送風室１５は、ファン１５ｂとファンモータ１５ａとからなり、ガスと空気を一定の割合に混合するよう混合部に所要の空気量を送る。ボンベカバー１０ｃを外して携帯用ドライヤ１０の内部を示した図４を参照すると明らかなように、ファンモータ１５ａの駆動用電源である電池収納部２１は、外ケース１０内の円筒形の熱風発生室１１と同じく円筒形のガスボンベ室１２に挟まれた空間に設けられている。Ｖ字を構成する一方の辺と他方の辺の中間に生じる隙間に電池収納部２１を設けると、前記熱風発生室１１とガスボンベ１２とに挟まれた隙間は電池の収納スペースとして有効利用され、携帯用ドライヤを小型にできる。さらに、電池収納部２１の前面には着脱自在な蓋１７を設けたので、電池交換時の電池の出し入れが容易となる。ボンベカバー１０ｃの脱着は、ロックボタン１０ｅを押して引っ張ることにより、溝１６をスライドさせて外すことができ、溝１６に嵌め込んでスライドさせながら押し込むことにより装着できるようになっている。なお、１０ｆはボンベカバー１０ｃの他方のロックボタンである。
【００３７】
つぎに、図５を参照して本実施例の携帯用ドライヤに用いられている制御用電気回路について説明する。
【００３８】
図５に示すように、この制御用電気回路は、主に、メイン基板に搭載されているマイコンを用いた制御部５０から構成されている。この制御部５０には、動作状態に応じてファンモータ１５ａの回転数を制御する回転数制御部５１、制御に必要な時間を計時する内蔵タイマ部５２、予め設定した基準値との比較により一定時間当たりの温度上昇を判断して着火を検知する着火判定部５３が含まれている。また、制御部５０には、ガス燃焼室内の混合ガスに点火する点火器５４、バルブ２３を電気的に開閉制御するときに用いられるソレノイド（マグネットユニット）５５、各部へ電源電圧を供給する電池５６、モータにより駆動されるファン等の動作状態を表示するための動作表示ＬＥＤ５７、ガス燃焼室内の混合ガスの着火を検知する着火センサ５８、熱風発生室１１内の温度過昇を検知する過昇センサ５９が接続される。さらに、制御部５０には、ファンを駆動するファンモータ１５ａ、操作スイッチ２６が接続されている。
【００３９】
つぎに、本実施例の携帯用ドライヤを使用するときの各動作状態と各動作状態間の遷移について説明する。図６に示すように、本実施例の携帯用ドライヤは、その動作状態として、スタンバイモード、起動モード、低速運転モード、点火モード、モータ回転上昇モード、平常運転モード、正常停止モード、ガス抜きモード、異常停止モードの何れかの状態をとる。
【００４０】
［スタンバイモード］
スタンバイモード（モード０）は、ドライヤを停止させたときのモードであり、電池からの電源供給（ＶＯＰＯＵＴ）が停止しており、ファンモータ１５ａが停止、動作表示ＬＥＤ５７が消灯、バルブ２３が閉状態、点火機構２０が未点火状態になっている。
【００４１】
［起動モード］
起動モード（モード１）は、スタンバイモードで操作スイッチ２６をＯＮにしたときの最初のモードであり、電池からの電源供給（ＶＯＰＯＵＴ）が開始され、ファンモータ１５ａが高速回転、動作表示ＬＥＤ５７が点滅、バルブ２３が開状態、点火機構２０が未点火状態になっている。ここで、本実施例ではファンモータ１５ａと動作表示ＬＥＤ５７はＶＯＰＯＵＴが出力されてから３０ｍｓ後に作動するように設定されている。
【００４２】
［低速運転モード］
低速運転モード（モード２）は、起動モードになった後、所定時間（例えば、０．２秒）経過した後に遷移するモードであり、電池からの電源供給（ＶＯＰＯＵＴ）が出力され、ファンモータ１５ａが低速回転、動作表示ＬＥＤ５７が点滅、バルブ２３が開状態、点火機構２０が未点火状態になっている。
【００４３】
［点火モード］
点火モード（モード３）は、低速運転モードになった後、所定時間（例えば、０．２秒）経過した後に遷移するモードであり、電池からの電源供給（ＶＯＰＯＵＴ）が出力され、ファンモータ１５ａが低速回転、動作表示ＬＥＤ５７が点滅、バルブ２３が開状態、点火機構２０が点火状態になっている。
【００４４】
なお、この点火モードは、図７に示すように、第一着火検知モード（ステップＳ０２、Ｓ０３）、第二着火検知モード（ステップＳ０４、Ｓ０５）、及び第三着火検知モード（ステップＳ０６、Ｓ０７）と時間ごとに３段階に分かれており、着火センサ５８により一定時間当たりの温度変化を検知し、これと基準値（着火検知条件）との比較により着火の判定を行っている。
【００４５】
すなわち、点火モードに遷移すると、先ず着火検知が開始され、点火器５４がＯＮとされ（ステップＳ０１）、同時に内蔵タイマ部５２による計時が開始される。そして、先ず第１着火検知モードとして、着火検知開始から第１時間ｔ１（例えば、２秒）までの期間における単位時間当たりの温度変化ΔＴが第１基準値Ｔ１（例えば、３℃／ｓｅｃ）以上の温度上昇であるか否かを判定し（ステップＳ０２）、第１基準値以上の温度上昇が検知されれば着火と判断してモータ回転上昇モードに移行し、第１基準値以上の温度上昇が検知されずに第１時間ｔ１を経過すると（ステップＳ０３）、第二着火検知モードに移行する。次に、第二着火検知モードとして、着火検知開始後第１時間ｔ１（２秒）から第２時間ｔ２（例えば、３秒）までの期間における単位時間当たりの温度変化ΔＴが第２基準値Ｔ２（例えば、２℃／ｓｅｃ）以上の温度上昇であるか否かを判定し（ステップＳ０４）、第２基準値Ｔ２以上の温度上昇が検知されれば着火と判断してモータ回転上昇モードに移行し、第２基準値Ｔ２以上の温度上昇が検知されずに第２時間ｔ２を経過すると（ステップＳ０５）、第三着火検知モードに移行する。最後に、第三着火検知モードとして、第２時間ｔ２（３秒）から第３時間ｔ３（例えば、１０秒）までの期間における単位時間当たりの温度変化ΔＴが第３基準値Ｔ３（例えば、１℃／ｓｅｃ）以上の温度上昇であるか否かを判定し（ステップＳ０６）、第３基準値Ｔ３以上の温度上昇が検知されれば着火と判断してモータ回転上昇モードに移行し、第３基準値Ｔ３以上の温度上昇が検知されずに第３時間ｔ３を経過すると（ステップＳ０７）、着火ミスとして異常停止モードに移行するため、ガス抜きモードに移行する。
【００４６】
この判定において、第一着火検知モードでは、着火検知開始直後、点火なし・余熱ありの場合の誤検知を無くすために、着火判定の感度を低く設定することで誤検知を防止することが可能となり、第一着火検知モードで検知できなければ、第二着火検知モードへ遷移し、着火判定の感度を上げることで着火を検知する。さらに、低室温内で使用する場合、第一着火検知モード及び第二着火検知モードでの条件で着火検知ができないことがあるので、第三着火検知モードへ遷移し、さらに着火判定の感度を上げて検知する。このような構成とすることで、点火なし・余熱ありの場合の温度変化はその温度勾配が時間経過に伴って緩くなるため、着火検知の感度を時間ごとに上げても誤検知することはなく、バーナー近傍の温度状態に応じて適切な判断ができるようにしている。
【００４７】
［モータ回転上昇モード］
モータ回転上昇モード（モード４）は、着火センサによる着火検知後、所定期間（例えば、０．５秒）経過した後に遷移するモードであり、電池からの電源供給（ＶＯＰＯＵＴ）が出力され、ファンモータ１５ａがＰＷＭ制御による直線的加速回転、動作表示ＬＥＤ５７が点灯、バルブ２３が開状態、点火機構２０が点火状態になっている。ここで、点火機構２０は、モータ回転上昇モードになった後、所定期間（例えば、０．５秒）だけ点火状態になる。
【００４８】
［平常運転モード］
平常運転モード（モード５）は、モータ回転上昇モードになった後、所定期間（例えば、３秒）経過した後に遷移するモードであり、電池からの電源供給（ＶＯＰＯＵＴ）が出力され、ファンモータ１５ａが高速回転、動作表示ＬＥＤ５７が点灯、バルブ２３が開状態、点火機構２０が未点火状態になっている。
【００４９】
［正常停止モード］
正常停止モード（モード６）は、平常運転モードで操作スイッチ２６をＯＦＦにしたときのモードであり、電池からの電源供給（ＶＯＰＯＵＴ）が出力され、ファンモータ１５ａが高速回転、動作表示ＬＥＤ５７が消灯、バルブ２３が閉状態、点火機構２０が未点火状態になっている。なお、正常停止モードは、起動モード、低速運転モード、点火モード、あるいはモータ回転上昇モードで操作スイッチ２６をＯＦＦにしたときにも遷移するモードである。また、正常停止モードのときに、所定時間内（例えば、３秒間）に操作スイッチ２６をＯＮにした場合には、低速運転モードへ遷移し、操作スイッチ２６をＯＮにしないで所定時間（例えば、３秒）経過した場合には、スタンバイモードへ遷移する。
【００５０】
［ガス抜きモード］
ガス抜きモード（モード７）は、低速運転モード、点火モード、モータ回転上昇モード、平常運転モード、あるいは正常停止モードでセンサ異常（温度異常など）を検知した場合や、モータ回転上昇モードや平常運転モードで消火判定がなされたときに遷移するモードであり、電池からの電源供給（ＶＯＰＯＵＴ）が出力され、ファンモータ１５ａが高速回転、動作表示ＬＥＤ５７が消灯、バルブ２３が閉状態、点火機構２０が未点火状態になっている。
【００５１】
［異常停止モード］
異常停止モード（モード８）は、ガス抜きモードで操作スイッチ２６をＯＦＦにしたときのモードであり、電池からの電源供給（ＶＯＰＯＵＴ）が出力され、ファンモータ１５ａが高速回転、動作表示ＬＥＤ５７が消灯、バルブ２３が閉状態、点火機構２０が未点火状態になっている。なお、異常停止モードのときに、所定時間内（例えば、３秒間）に操作スイッチ２６をＯＮにした場合には、センサ異常を検知するとガス抜きモードへ遷移し、センサ異常を検知しないと低速運転モードへ遷移し、操作スイッチ２６をＯＮにしないで所定時間（例えば、３秒）経過した場合には、スタンバイモードへ遷移する。また、点火モードのときに回転異常（回転異常Ｌ）を検知した場合や、平常運転モードから所定時間（例えば、０．２秒）経過した後、正常停止モード、ガス抜きモード、あるいは異常停止モードのときに回転異常（回転異常Ｈ）を検知した場合には、スタンバイモードへ遷移する。
【００５２】
さらに、図８を参照して本実施例の携帯用ドライヤの動作について説明する。図８は、本発明に係る携帯用ドライヤの動作を説明するタイムチャートであり、操作スイッチ２６によってドライヤを平常運転するまでのものである。図８において、最初はスタンバイモードになっており、操作スイッチ２６がＯＦＦ状態であり、ファンモータが停止、点火器がＯＦＦ状態（未点火）になっている。
【００５３】
そして、操作スイッチ２６をＯＮ状態にすると、起動モードになり、低速運転時はファンモータ電圧が低くなっているのでファンモータが起動しにくいことから起動時のみモータ電圧を高くする。また、操作スイッチ２６がＯＮ状態に切り替わると同時に、タイマが作動し、所定時間（例えば、０．２秒）経過すると、起動モードから低速運転モードに遷移し、ファンモータが低速回転し、熱風発生室１１には点火に適した燃焼ガス濃度の混合ガスが送られる。
【００５４】
さらに、低速運転モードに遷移してから所定時間（例えば、０．２秒）経過すると、低速運転モードから点火モードに遷移し、ファンモータは低速回転のままで点火器がＯＮ状態（点火状態）に切り替わり、点火動作が開始される。
【００５５】
また、点火モードに移行すると同時に、着火検知のためのタイマが作動し、着火センサ５８が所定期間内（第３時間ｔ３、例えば１０秒以内）に正常に温度上昇を検知すれば正常に着火したと判定され、所定時間内に着火が検知されない場合は着火ミス状態の判定がなされる。なお、このときの着火検知方法については既に上述した記載及び図７において説明したのでここでは重複説明を省略する。
【００５６】
点火モード中に点火器による点火動作を行うことで混合ガスが着火され、所定時間内（例えば、１０秒以内）に着火センサによる着火検知がなされると、ＴＥＳＴＯＵＴの出力をＯＮ状態（Ｈレベル）にする。ＴＥＳＴＯＵＴの出力をＯＮ状態（Ｈレベル）にすると同時に、モータ回転上昇モードへ遷移するタイミングを判定するためのタイマが作動し、所定期間（例えば、０．５秒）経過すると、点火モードからモータ回転上昇モードに遷移し、ファンモータの回転数を直線的に上昇させる。
【００５７】
ここで、ファンモータの出力をＰＷＭ出力とし、所定期間（例えば、３秒間）でデューティー比を１００％まで上げていく。このときＰＷＭ出力の１サイクルは０．４ｍＳ程度とし、デューティー比上昇は最小でも３０ステップ程度で上昇させれば良く、それよりもステップ数は多くても良い。
【００５８】
また、モータ回転上昇モードになってから所定期間（例えば、０．５秒）経過すると、点火器がＯＦＦ状態（未点火）に切り替わる。なお、点火モードに遷移してからモータ回転上昇モードに遷移するまでの間、回転異常Ｌ判定を行うためにファンモータの回転検知が開始される。
【００５９】
やがて、モータ回転上昇モードでのファンモータの回転数が高速回転に達すると、モータ回転上昇モードから平常運転モードに切り替わり、ＴＥＳＴＯＵＴの出力をＯＦＦ状態（Ｌレベル）にする。さらに、平常運転モードに遷移してから所定時間（例えば、０．２秒）経過すると、回転異常Ｈ判定を行うためにファンモータの回転検知が開始される。
【００６０】
以上説明したように、本実施例では、所定の第１、第２、第３時間ｔ１、ｔ２、ｔ３を着火検知開始からそれぞれ２秒、３秒、１０秒と設定し、温度変化ΔＴに対する着火判定の基準値である第１、第２、第３基準値Ｔ１、Ｔ２、Ｔ３をそれぞれ３℃／ｓｅｃ、２℃／ｓｅｃ、１℃／ｓｅｃと設定したが、これは一例にすぎず、本発明の趣旨を逸脱しない範囲において他の値に設定してもよい。
【図面の簡単な説明】
【００６１】
【図１】本発明に係る携帯用ドライヤの一実施例の外観斜視図である。
【図２】図１の携帯用ドライヤの正面図である。
【図３】図１の携帯用ドライヤの内部配置の概要を説明する一部切り欠き断面図である。
【図４】図１の携帯用ドライヤのボンベカバーをはずして内部を示す斜視図である。
【図５】一実施例に係る携帯用ドライヤの制御用電気回路を示すブロック図である。
【図６】一実施例に係る携帯用ドライヤがとりうる各動作状態間の関係を説明する図である。
【図７】図６に示す点火モードにおける着火検知のサブルーチンを示すフローチャートである。
【図８】一実施例に係る携帯用ドライヤの動作を説明するタイムチャートである。
【図９】従来例の携帯用ドライヤの構成を示す断面図である。
【符号の説明】
【００６２】
１０        携帯用ドライヤ
１０ａ      外ケース
１１        熱風発生室
１２        ガスボンベ室
１３        ガスボンベ
１４        吹き出し口
１５        送風室
１５ａ      ファンモータ
１５ｂ      ファン
１７        電池収納部の蓋
１８        吸気口
２０        点火機構
２１        電池収納部
２２        マイクロスイッチ
２３        バルブ
２４        電子的高電圧発生回路
２５        点火プラグ
２６        スライドつまみ（操作スイッチ）
５０        制御部
５１        回転数制御部
５２        内蔵タイマ部
５３        着火判定部
５４        点火器
５５        ソレノイド（マグネットユニット）
５６        電池
５７        動作表示ＬＥＤ
５８        着火センサ
５９        過昇センサ
【図１】
2008086684.tif 000003
【図２】
2008086684.tif 000004
【図３】
2008086684.tif 000005
【図４】
2008086684.tif 000006
【図５】
2008086684.tif 000007
【図６】
2008086684.tif 000008
【図７】
2008086684.tif 000009
【図８】
2008086684.tif 000010
【図９】
2008086684.tif 000011